(57)【要約】【課題】見守り対象者を適切に見守ることが可能な見守りシステムを提供する。【解決手段】１以上の振動検知装置１０と、振動送信装置２０とを備えた見守りシステム１であって、振動検知装置１０は、振動センサ１０１と、振動センサ１０１が振動を検知した場合に、振動を検知したことを示す情報である振動情報を振動送信装置２０に送信する検知振動送信部１０５とを備え、振動送信装置２０は、振動検知装置１０から振動情報を受信する振動情報受信部２０１と、振動情報受信部２０１が受信した振動情報に関する情報である振動関連情報を、予め指定された第一の送信先に送信する振動関連情報送信部２０２と、を備えた。【選択図】図１
2015060238.tif 000002
【特許請求の範囲】
【請求項１】
１以上の振動検知装置と、振動送信装置とを備えた見守りシステムであって、
前記振動検知装置は、
振動センサと、
前記振動センサが振動を検知した場合に、振動を検知したことを示す情報である振動情報を前記振動送信装置に送信する検知振動送信部とを備え、
前記振動送信装置は、
前記振動検知装置から振動情報を受信する振動情報受信部と、
前記振動情報受信部が受信した振動情報に関する情報である振動関連情報を、予め指定された第一の送信先に送信する振動関連情報送信部と、を備えた見守りシステム。
【請求項２】
前記振動検知装置は、
当該振動検知装置の識別子である検知識別子が格納される検知識別子格納部をさらに備え、
前記検知振動送信部は、前記検知識別子格納部に格納されている検知識別子をさらに有する振動情報を前記振動送信装置に送信し、
前記振動関連情報送信部は、前記検知識別子をさらに有する振動関連情報を送信する請求項１記載の見守りシステム。
【請求項３】
前記振動関連情報送信部は、時刻情報をさらに有する振動関連情報を送信する請求項１または請求項２記載の見守りシステム。
【請求項４】
前記見守りシステムは、複数の振動検知装置を備え、
前記振動関連情報送信部は、予め指定された条件を満たす振動情報を前記振動情報受信部が複数の振動検知装置から受信した場合に、地震であることを示す情報である地震情報を前記第一の送信先に送信する請求項１から請求項３いずれか一項記載の見守りシステム。
【請求項５】
前記振動関連情報送信部は、予め指定された条件を満たす振動情報を前記振動情報受信部が複数の振動検知装置から受信した直後に、前記地震情報を送信する請求項４記載の見守りシステム。
【請求項６】
前記見守りシステムは、さらに、サーバ装置を備え、
前記第一の送信先は、前記サーバ装置であり、
前記サーバ装置は、振動送信装置が送信する振動関連情報を受信するサーバ側受信部と、
前記サーバ側受信部が受信した振動関連情報に関する情報である振動通知情報を、予め指定された第二の送信先に送信するサーバ側送信部とを備えた請求項１から請求項５いずれか一項記載の見守りシステム。
【請求項７】
前記見守りシステムは、さらに、サーバ装置を備え、
前記第一の送信先は、前記サーバ装置であり、
前記サーバ装置は、前記振動送信装置が送信する振動関連情報及び地震情報を受信するサーバ側受信部と、
前記サーバ側受信部が受信した振動関連情報に関する情報である振動通知情報及び受信した地震情報に関する情報である地震関連情報を、予め指定された第二の送信先に送信するサーバ側送信部とを備えた請求項４記載の見守りシステム。
【請求項８】
前記振動関連情報送信部は、予め指定された条件を満たす振動情報を前記振動情報受信部が複数の振動検知装置から受信した直後に、前記地震情報を送信し、
前記サーバ側送信部は、前記サーバ側受信部が地震情報を受信した場合、受信した直後に前記地震関連情報を予め指定された第二の送信先に送信する請求項７記載の見守りシステム。
【請求項９】
前記見守りシステムは、複数の振動検知装置を備え、
前記振動関連情報送信部は、予め指定された条件を満たす振動情報を前記振動情報受信部が複数の振動検知装置から受信した場合に、受信した振動情報に関する振動関連情報を送信しない請求項１から請求項８いずれか一項記載の見守りシステム。
【請求項１０】
前記サーバ側送信部は、予め指定されたタイミングで前記振動通知情報を前記第二の送信先に送信する請求項６記載の見守りシステム。
【請求項１１】
前記振動センサは、導電性を有する１以上の球体を備えた接点方式の振動センサである請求項１から請求項１０いずれか一項記載の見守りシステム。
【請求項１２】
前記振動センサは、
導電性を有する１以上の球体と、当該１以上の球体の移動に応じて当該球体との接触状態が変化することにより、導通状態または非導通状態となる第一電極及び第二電極と、を有するセンサ部と、
前記第一電極と第二電極との導通状態と非導通状態とが繰り返される場合に振動を検知する振動検知部と、を備えた請求項１から請求項１０いずれか一項記載の見守りシステム。
【請求項１３】
請求項１から請求項１２いずれか一項記載の見守りシステムを構成する振動検知装置。
【請求項１４】
請求項１から請求項１２いずれか一項記載の見守りシステムを構成する振動送信装置。
【請求項１５】
請求項６から請求項８及び請求項１０いずれか一項記載の見守りシステムを構成するサーバ装置。
【請求項１６】
振動情報受信部と、振動関連情報送信部とを備えた振動送信方法であって、
前記振動情報受信部が、一または二以上の振動検知装置から振動を検知したことを示す情報である振動情報を受信する振動情報受信ステップと、
前記振動関連情報送信部が、前記振動情報受信ステップで受信した振動情報に関する情報である振動関連情報を、予め指定された第一の送信先に送信する振動関連情報送信ステップと、を備えた振動送信方法。
【請求項１７】
コンピュータを、
一または二以上の振動検知装置から振動を検知したことを示す情報である振動情報を受信する振動情報受信部と、
前記振動情報受信部が受信した振動情報に関する情報である振動関連情報を、予め指定された第一の送信先に送信する振動関連情報送信部と、して機能させるためのプログラム。
【発明の詳細な説明】
【技術分野】
【０００１】
本発明は、生活者を見守るためのシステム等に関するものである。
【背景技術】
【０００２】
従来の技術として、家屋に設置された複数の機器の使用状況から生活状況を監視する見守りシステムにおいて、予め、前記複数の機器それぞれについて、当該機器自身が自動的に稼動／停止を制御し、自律的に使用量を変化させる機器である主体的機器と、使用者の操作によって使用量が変化する機器を識別する情報を区別して記憶しておく記憶手段と、前記複数の機器それぞれの使用状況を示す使用状況情報および当該機器を識別する情報を自動検知装置から受信する受信手段と、前記受信した識別する情報が前記主体機器を示す使用状況情報の変化量を検知する検知手段と、前記検知手段での変化量が所定以上を示す場合、アラームを出力する出力手段とを有することを特徴とする見守りシステムが知られていた（例えば、特許文献１参照）。
【先行技術文献】
【特許文献】
【０００３】
【特許文献１】特開２００８−２６９５１２号公報（第１頁、第１図等）
【発明の概要】
【発明が解決しようとする課題】
【０００４】
しかしながら、従来の見守りシステムにおいては、見守りの対象者が、使用量が変化する特定の機器を操作しなければ生活状況を把握することができず、適切に対象者の見守りを行うことができない、という課題があった。
【０００５】
本発明は上記のような課題を解消するためになされたものであり、見守り対象者が特定の機器を操作しない場合等においても、見守り対象者を適切に見守ることが可能な見守りシステム等を提供することを目的とする。
【課題を解決するための手段】
【０００６】
本発明の見守りシステムは、１以上の振動検知装置と、振動送信装置とを備えた見守りシステムであって、振動検知装置は、振動センサと、振動センサが振動を検知した場合に、振動を検知したことを示す情報である振動情報を振動送信装置に送信する検知振動送信部とを備え、振動送信装置は、振動検知装置から振動情報を受信する振動情報受信部と、振動情報受信部が受信した振動情報に関する情報である振動関連情報を、予め指定された第一の送信先に送信する振動関連情報送信部と、を備えた見守りシステムである。
【０００７】
かかる構成により、振動を利用して見守り対象者を見守ることができ、見守り対象者を適切に見守ることができる。
【０００８】
また、本発明の見守りシステムは、前記見守りシステムにおいて、振動検知装置は、振動検知装置の識別子である検知識別子が格納される検知識別子格納部をさらに備え、検知振動送信部は、検知識別子格納部に格納されている検知識別子をさらに有する振動情報を振動送信装置に送信し、振動関連情報送信部は、検知識別子をさらに有する振動関連情報を送信する見守りシステムである。
【０００９】
かかる構成により、振動を検知した振動検知装置を特定することができ、例えば、振動が、どの振動検知装置の設置場所で発生したかを特定することができる。
【００１０】
また、本発明の見守りシステムは、前記見守りシステムにおいて、振動関連情報送信部は、時刻情報をさらに有する振動関連情報を送信する見守りシステムである。
【００１１】
かかる構成により、振動の発生時刻を知ることができる。
【００１２】
また、本発明の見守りシステムは、前記見守りシステムにおいて、見守りシステムは、複数の振動検知装置を備え、振動関連情報送信部は、予め指定された条件を満たす振動情報を振動情報受信部が複数の振動検知装置から受信した場合に、地震であることを示す情報である地震情報を第一の送信先に送信する見守りシステムである。
【００１３】
かかる構成により、地震の発生を検知して、通知することができる。
【００１４】
また、本発明の見守りシステムは、前記見守りシステムにおいて、振動関連情報送信部は、予め指定された条件を満たす振動情報を振動情報受信部が複数の振動検知装置から受信した直後に、地震情報を送信する見守りシステムである。
【００１５】
かかる構成により、地震が発生したことを示す通知を、地震の発生直後に行うことができる。
【００１６】
また、本発明の見守りシステムは、前記見守りシステムにおいて、見守りシステムは、さらに、サーバ装置を備え、第一の送信先は、サーバ装置であり、サーバ装置は、振動送信装置が送信する振動関連情報を受信するサーバ側受信部と、サーバ側受信部が受信した振動関連情報に関する情報である振動通知情報を、予め指定された第二の送信先に送信するサーバ側送信部とを備えた見守りシステムである。
【００１７】
かかる構成により、振動の発生を示す情報の送信等を、サーバ装置で管理することができる。
【００１８】
また、本発明の見守りシステムは、前記見守りシステムにおいて、見守りシステムは、さらに、サーバ装置を備え、第一の送信先は、サーバ装置であり、サーバ装置は、振動送信装置が送信する振動関連情報及び地震情報を受信するサーバ側受信部と、サーバ側受信部が受信した振動関連情報に関する情報である振動通知情報及び受信した地震情報に関する情報である地震関連情報を、予め指定された第二の送信先に送信するサーバ側送信部とを備えた見守りシステムである。
【００１９】
かかる構成により、振動の発生を示す情報や地震の発生を示す情報の送信等を、サーバ装置で管理することができる。
【００２０】
また、本発明の見守りシステムは、前記見守りシステムにおいて、振動関連情報送信部は、予め指定された条件を満たす振動情報を振動情報受信部が複数の振動検知装置から受信した直後に、地震情報を送信し、サーバ側送信部は、サーバ側受信部が地震情報を受信した場合、受信した直後に地震関連情報を予め指定された第二の送信先に送信する見守りシステムである。
【００２１】
かかる構成により、地震が発生したことを示す通知を、サーバ装置経由で、地震の発生直後に行うことができる。
【００２２】
また、本発明の見守りシステムは、前記見守りシステムにおいて、見守りシステムは、複数の振動検知装置を備え、振動関連情報送信部は、予め指定された条件を満たす振動情報を振動情報受信部が複数の振動検知装置から受信した場合に、受信した振動情報に関する振動関連情報を送信しない見守りシステムである。
【００２３】
かかる構成により、地震に起因する振動を示す情報は、通知しないようにすることができる。
【００２４】
また、本発明の見守りシステムは、前記見守りシステムにおいて、サーバ側送信部は、予め指定されたタイミングで振動通知情報を第二の送信先に送信する見守りシステムである。
【００２５】
かかる構成により、振動通知情報を、例えば、予め指定されたタイミングでまとめて送信することができる。
【００２６】
また、本発明の見守りシステムは、前記見守りシステムにおいて、振動センサは、導電性を有する１以上の球体を備えた接点方式の振動センサである見守りシステムである。
【００２７】
かかる構成により、振動を適切に検出することができる。また、振動検出のための電力消費等を抑えることができる。
【００２８】
また、本発明の見守りシステムは、前記見守りシステムにおいて、振動センサは、導電性を有する１以上の球体と、１以上の球体の移動に応じて球体との接触状態が変化することにより、導通状態または非導通状態となる第一電極及び第二電極と、を有するセンサ部と、第一電極と第二電極との導通状態と非導通状態とが繰り返される場合に振動を検知する振動検知部と、を備えた見守りシステムである。
【００２９】
かかる構成により、振動を適切に検出することができる。また、振動検出のための電力消費等を抑えることができる。
【発明の効果】
【００３０】
本発明による見守りシステム等によれば、見守り対象者を適切に見守ることができる。
【図面の簡単な説明】
【００３１】
【図１】本発明の実施の形態における見守りシステムのブロック図
【図２】同見守りシステムが有する振動検知装置の振動センサの一例を説明するための、鉛直方向に沿った断面図（図２（ａ））及び一部切り欠き斜視図（図２（ｂ））。
【図３】同見守りシステムが有する振動検知装置の振動センサの一例を説明するための、第二電極の上面側からみた模式図（図３（ａ））、及び、第一電極の上面側からみた模式図（図３（ｂ））。
【図４】同見守りシステムが有する振動検知装置のセンサ部の第一から第五の変形例を示す図（図４（ａ）−図４（ｅ））。
【図５】同見守りシステムの振動送信装置の動作の一例を説明するフローチャート
【図６】同見守りシステムの概念図
【図７】同見守りシステムの振動検知装置１０ａ−１０ｅ及び振動送信装置２０の家屋内における設置状況を示す見取り図
【図８】同見守りシステムの振動情報管理表を示す図
【図９】同見守りシステムの取付場所管理表を示す図
【図１０】同見守りシステムの振動関連情報管理表を示す図
【図１１】同見守りシステムの振動関連情報管理表を示す図
【図１２】同見守りシステムの振動通知情報を示す図
【図１３】同見守りシステムの振動通知情報の表示例を示す図
【図１４】同見守りシステムの振動情報管理表を示す図
【図１５】同見守りシステムの振動通知情報の表示例を示す図
【図１６】同見守りシステムの変形例を示すブロック図
【図１７】本発明の実施の形態におけるコンピュータシステムの外観の一例を示す図
【図１８】同コンピュータシステムの構成の一例を示す図
【発明を実施するための形態】
【００３２】
以下、見守りシステム等の実施形態について図面を参照して説明する。なお、実施の形態において同じ符号を付した構成要素は同様の動作を行うので、再度の説明を省略する場合がある。
【００３３】
（実施の形態）
図１は、本実施の形態における見守りシステム１のブロック図である。
【００３４】
見守りシステム１は、振動検知装置１０、振動送信装置２０、サーバ装置３０、及び端末装置４０を備える。振動検知装置１０と、振動送信装置２０とは、有線または無線のネットワークや通信回線等により接続されている。振動送信装置２０と、サーバ装置３０とは、有線または無線のネットワークや通信回線により接続されている。サーバ装置３０と端末装置４０とは、有線または無線のネットワークや通信回線等により接続されている。
【００３５】
一の振動送信装置２０には、１または２以上の振動検知装置１０が接続される。また、一のサーバ装置３０には、１または２以上の振動送信装置２０と、１または２以上の端末装置４０とが接続される。図１においては、一例として、振動検知装置１０、振動送信装置２０、端末装置４０がそれぞれ、複数である場合を例に挙げて示している。
【００３６】
振動検知装置１０は、振動センサ１０１、検知識別子格納部１０４、検知振動送信部１０５を備える。
振動センサ１０１は、センサ部１０２、及び振動検知部１０３を備える。
【００３７】
振動送信装置２０は、振動情報受信部２０１、振動関連情報送信部２０２を備える。
【００３８】
サーバ装置３０は、サーバ側受信部３０１、サーバ側送信部３０２を備える。
【００３９】
振動検知装置１０は、例えば、見守りの対象となる人（以下、見守り対象者や対象者と称す）の住居内や、見守り対象者が生活する部屋内等に設置される装置である。振動検知装置１０の設置場所は問わないが、見守り対象者が動いた場合に振動し、見守り対象者が動かない場合には振動しない場所であることが好ましい。振動検知装置１０は、例えば、住居内のドアや、壁面、床、床下、窓、ベッド、冷蔵庫等に設置される。振動検知装置１０は、例えば、見守り対象者が普段の生活において利用する居間や、浴室、トイレ、寝室等に設置される。異なる振動検知装置１０は、通常、異なる場所に設置される。
【００４０】
振動センサ１０１は、振動を検知するセンサである。振動センサ１０１は、例えば、導電性を有する１以上の球体を備えた接点方式の振動センサである。接点方式の振動センサとは、導電性球体の移動に応じて接点がオン、オフすることによって振動を検知するセンサである。振動センサ１０１は、三軸方向の振動センサ等の無指向の振動センサであることが好ましいが、二軸方向の振動センサ等の、指向性を有する振動センサであってもよい。ただし、振動センサ１０１の方式等は問わない。
【００４１】
検知識別子格納部１０４には、振動検知装置１０の識別子である検知識別子が格納される。検知識別子は、振動検知装置１０自身を識別可能な情報であればどのような情報であってもよく、例えば、振動検知装置１０に割り当てられたコードや文字列であってもよいし、振動検知装置１０のＩＰアドレスやＭＡＣアドレス、メールアドレス等のアドレス情報であってもよい。また、検知識別子は、振動検知装置１０の取り付け場所を示す情報（例えば取り付け場所の名称等）、もしくは取り付け場所を示す情報と対応づけられたコード等の情報であってもよい。また、検知識別子が、取り付け場所を示す情報と対応づけられたコード等の情報である場合等においては、振動送信装置２０や、サーバ装置３０が、検知識別子を送信する場合に、図示しない格納部等に予め格納された検知識別子と取り付け場所との対応関係を管理する情報から、検知識別子に対応づけられた取り付け場所を示す情報を取得して、取得した取り付け場所を示す情報を、新たな検知識別子として送信するようにしてもよい。
【００４２】
検知識別子格納部１０４は、不揮発性の記録媒体が好適であるが、揮発性の記録媒体でも実現可能である。かかることは、他の格納部についても同様である。なお、一の振動送信装置２０と通信可能な振動検知装置１０が一つのみである場合、検知識別子や検知識別子格納部１０４は省略してもよい。
【００４３】
検知振動送信部１０５は、振動センサ１０１が振動を検知した場合に、振動を検知したことを示す情報である振動情報を振動送信装置２０に送信する。振動情報は、例えば、検知した振動の振動数や程度や波形等を示す情報であってもよいし、振動があった場合にのみ出力される特定の情報であってもよい。また、振動情報は、振動が発生している期間内に順次、もしくは連続的に出力される情報や、振動が発生している期間を示す情報、（例えば、開始時刻と終了時刻との組み合わせや、開始時刻と、振動の継続時間との組み合わせ）であってもよい。また、検知識別子を振動情報として用いてもよい。
【００４４】
検知振動送信部１０５は、例えば、検知識別子格納部１０４に格納されている検知識別子をさらに有する振動情報を振動送信装置２０に送信してもよい。また、検知振動送信部１０５が有する図示しない時計等から取得した振動を検知した時刻の情報、あるいは、振動情報を送信する時刻の情報を有する振動情報を送信してもよい。
【００４５】
さらに、検知振動送信部１０５は、振動センサ１０１が検知した振動が予め指定された条件を満たす場合に、振動情報を振動送信装置２０に送信してもよい。そして、条件を満たさない場合には、振動情報を振動送信装置２０に送信しなくてもよい。例えば、検知振動送信部１０５は、振動センサ１０１が、予め指定された時間以上振動を検出している場合に起動指示を出力するようにしてもよい。また、検知振動送信部１０５は、振動センサ１０１が、予め指定された頻度で振動を検出している場合に起動指示を出力するようにしてもよい。予め指定された頻度とは、例えば、予め指定された時間内の振動の検出回数や、予め指定された時間以内の時間を隔てて予め指定された回数以上の振動が検出されることである。このようにすることで、見守り対象者の動作によって発生する振動以外の振動、例えば、風による家屋の揺れにより発生する振動や、近くの道路を自動車等が通過した場合に発生する振動を検知しただけでは、振動情報を送信させないようにすることができる。
【００４６】
検知振動送信部１０５は、通常、振動を検知した直後に、振動情報を送信する。ただし、検知振動送信部１０５が振動情報を送信するタイミングやトリガー等は問わない。
【００４７】
検知振動送信部１０５は、通常、無線または有線の通信手段で実現される。検知振動送信部１０５は、通信デバイスを含むと考えても、含まないと考えても良い。
【００４８】
振動情報受信部２０１は、振動検知装置１０から振動情報を受信する。振動情報受信部２０１は、通常、無線または有線の通信手段で実現される。振動情報受信部２０１は、通信デバイスを含むと考えても、含まないと考えても良い。
【００４９】
振動関連情報送信部２０２は、振動関連情報を予め指定された第一の送信先に送信する。振動関連情報は、振動情報受信部２０１が受信した振動情報に関する情報である。振動関連情報は、振動情報受信部２０１が受信した振動情報そのものや、受信した複数の振動情報をまとめたものであってもよい。また、振動関連連情報や、振動が発生したことや、振動が検知されたことを示す情報であってもよい。振動関連情報は、振動情報受信部２０１が受信した振動情報を用いて取得した、振動があったことを示すテキストや画像等の情報であってもよい。また、振動関連情報は、見守り対象者に動きがあったことを示すテキストや画像等の情報であってもよい。また、振動情報受信部２０１が受信した振動情報を用いて取得された情報、例えば、振動情報を受信した回数等の情報であってもよい。第一の送信先を指定する情報、例えば、第一の送信先のＩＰアドレス等のアドレス情報は、例えば、図示しない格納部等に格納されているようにして、振動関連情報送信部２０２が適宜読み出すようにすればよい。
【００５０】
本実施の形態においては、第一の送信先がサーバ装置３０である場合を例に挙げて説明する。ただし、第一の送信先を予め指定された一の端末装置４０としてもよい。この場合、サーバ装置３０は省略してもよい。
【００５１】
振動関連情報送信部２０２は、検知識別子をさらに有する振動関連情報を送信してもよい。この検知識別子は、例えば、振動情報受信部２０１が受信した振動情報が有する検知識別子である。振動関連情報が有する検知識別子は、振動の検知場所、あるいは、振動の発生場所を示す情報と考えてよい。
【００５２】
振動関連情報送信部２０２は、時刻情報をさらに有する振動関連情報を送信する。この時刻情報は、例えば、振動情報受信部２０１が受信した振動情報が有する、振動の検出時刻や、振動情報の送信時刻を示す時刻情報等であってもよいし、例えば、振動情報受信部２０１が振動情報を受信した時刻や、振動関連情報送信部２０２が振動関連情報を送信する時刻を示す時刻情報等であってもよい。振動情報を受信した時刻や振動関連情報を送信する時刻を示す時刻情報は、例えば、振動送信装置２０が有する図示しない時計等から取得可能である。
【００５３】
振動関連情報送信部２０２が、振動関連情報を送信するタイミングは問わない。例えば、振動関連情報送信部２０２は、振動情報受信部２０１が振動情報を受信した場合、受信直後に、この振動情報に関する振動関連情報を送信してもよい。また、振動関連情報送信部２０２は、予め指定された時刻や、予め指定された時間間隔ごとに、振動情報受信部２０１が受信した１以上の振動情報に関する振動関連情報をまとめて送信してもよい。例えば、振動関連情報送信部２０２は、毎日１回以上、例えば、午前１０時と、午後１０時とに、振動関連情報を送信する。、１２時と２４時とに、振動関連情報送信部２０２は、例えば、予め指定されたタイミングに、前回振動関連情報を送信した後に振動情報受信部２０１が受信した１または２以上の振動情報に関する振動関連情報を送信する。例えば、振動情報受信部２０１が受信した振動情報を、送信のタイミングまでは送信せずに図示しない記憶媒体等に蓄積しておく。そして、送信のタイミングにおいては、この蓄積された振動情報に関連する振動関連情報を取得して送信する。そして、送信後に、振動関連情報送信部２０２は、蓄積された振動情報を削除してもよい。
【００５４】
振動関連情報送信部２０２は、例えば、予め指定された条件を満たす振動情報を振動情報受信部２０１が複数の振動検知装置１０から受信した場合に、地震情報を第一の送信先に送信する。地震情報とは、地震であることを示す情報である。地震情報は、具体的には、見守りの対象者のいる場所（あるいは、複数の振動検知装置１０を設置した領域等）が地震であることを示す情報である。即ち、地震情報は、対象者がいる場所に地震が発生したことを示す情報である。なお、地震情報は、地震が発生した可能性が高いことを示す情報と考えてもよい。地震情報は、地震であることを示す情報であれば、どのような情報であってもよく、例えば、地震が発生したことを示すテキストや画像の情報であってもよく、地震が発生したことを示す情報や、地震が発生したことを示す警報等の出力を指示する命令等の情報であってもよい。また、地震情報は、地震情報を送信する時刻を示す情報や、上述した予め指定された振動情報を受信した時刻等の情報を有していてもよい。
【００５５】
予め指定された条件とは、地震検出のための条件と考えてもよい。ここでの予め指定された条件とは、同時期に振動情報を送信した振動検知装置数に関する条件である。例えば、予め指定された条件は、振動情報受信部２０１が、２以上の予め指定された数以上の振動検知装置１０から同時期に振動情報を受信したという条件である。あるいは、２以上の予め指定された数以上に変えて、振動送信装置２０と接続された（あるいは、振動送信装置２０が振動情報を受信可能な）複数の振動検知装置１０のうちの、予め指定された比率以上（例えば８割以上）の複数の振動検知装置１０から同時期に振動情報を受信したという条件であってもよい。２以上の振動検知装置１０から送信された振動情報であるか否かは、例えば、振動情報が有する検知識別子等から判断可能である。
【００５６】
また、同時期に受信した振動情報とは、ここでは、例えば、予め指定された期間内、好ましくは、数秒程度の期間内に、１または２以上の振動検知装置１０から受信した複数の振動情報である。
【００５７】
例えば、振動情報が振動の検出時等に送信される信号等の情報である場合、振動情報受信部２０１が、受信した検知識別子を有する振動情報を上述したような時刻情報と対応づけて順次図示しない格納部等に蓄積するようにする。そして、振動関連情報送信部２０２は、振動情報を受信するごと、あるいは振動情報を蓄積するごとに、受信した（あるいは蓄積した）振動情報に対応づけられた時刻情報を終了時刻とした予め指定された長さの期間を設定し、この期間内の時刻を示す時刻情報と対応づけられて上記の図示しない格納部に格納されている他の振動情報を、同時期に受信した振動情報として検出する。予め指定された長さは、振動情報と対応づけられた時刻情報が、同時期であるか否かを判断するための時間の長さであり、例えば、図示しない格納部に予め格納されている。予め指定された長さの期間の開始時刻は、例えば、受信した（あるいは蓄積した）振動情報に対応づけられた時刻情報から、予め指定された長さの時間を減算して得られる時刻である。なお、図示しない格納部に蓄積される各振動情報は、上記の予め指定された長さ以上の期間が経過した後は、削除してよい。
【００５８】
また、振動情報が、振動の検出期間中に順次出力される信号等の情報である場合、検出期間が少なくと一部重複する複数の振動情報を、同時期に受信した振動情報として検出してもよい。
【００５９】
そして、検出した振動情報に対応づけられた検知識別子の中に、例えば、予め指定された２以上の数以上、あるいは、予め指定された比率以上の異なる検知識別子を含むか否かを判断することで、振動関連情報送信部２０２は、振動情報受信部２０１が予め指定された条件を満たす振動情報を受信したか否かを判断することができる。なお、ここでの同時期は、同時と考えてもよい。ただし、この場合の同時とは、誤差の範囲を含めた場合の同時と考えててもよい。
【００６０】
振動関連情報送信部２０２は、例えば、振動情報受信部２０１が、予め指定された条件を満たす振動情報を複数の振動検知装置１０から受信した直後に、地震情報を第一の送信先に送信する。これにより、見守り対象者のいる場所で地震が発生したことを、迅速に、見守りの依頼者に通知することが可能となる。
【００６１】
なお、振動関連情報送信部２０２は、振動情報受信部２０１が、予め指定された条件を満たす振動情報を複数の振動検知装置１０から受信した場合に、受信した振動情報に関する振動関連情報を送信しないようにしてもよい。この場合の予め指定された条件は、例えば、上記と同様の地震検出のための条件である。予め指定された条件を満たす振動情報を振動情報受信部２０１が複数の振動検知装置１０から受信した場合とは、上述したように、地震が発生した場合を示す、もしくは地震が発生した可能性が高いと考えられ、見守り対象者の動きによって発生した振動情報ではないと考えられることから、受信した振動情報は、見守り対象者の安否等と直接関連しない振動情報であると考えて、振動関連情報を送信しないようにしてよい。
【００６２】
また、見守りシステム１が、複数の振動送信装置２０を有する場合、振動関連情報送信部２０２は、例えば、振動送信装置２０の識別子である振動送信装置識別子を有する振動関連情報を、サーバ装置３０に送信してもよい。同様に、振動関連情報送信部２０２は、例えば、振動装置識別子を有する地震情報を、サーバ装置３０に送信してもよい。振動送信装置識別子は、振動送信装置２０を識別可能な情報であればよく、例えば、振動送信装置２０に割り当てられたコードや装置名等の文字列や、振動送信装置２０のＩＰアドレスやＭＡＣアドレス、メールアドレス等である。振動送信装置識別子は、例えば、図示しない記憶媒体等に予め格納しておくようにして、適宜読み出すようにすればよい。
【００６３】
なお、一のサーバ装置３０と接続される振動送信装置２０が一つである場合、振動送信装置２０を特定する必要がないため、振動送信装置識別子は省略してよい。また、振動送信装置２０が、予め指定された端末装置４に直接、振動関連情報を送信する場合においても、振動送信装置識別子は省略してもよい。
【００６４】
振動関連情報送信部２０２は、通常、無線または有線の通信手段で実現される。振動関連情報送信部２０２は、通信デバイスを含むと考えても、含まないと考えても良い。
【００６５】
サーバ側受信部３０１は、振動送信装置２０が送信する振動関連情報を受信する。また、サーバ側受信部３０１は、振動送信装置２０が送信する振動関連情報、及び地震情報を受信してもよい。見守りシステム１が、一のサーバ装置３０と接続される振動送信装置２０として、複数の振動送信装置２０を有する場合、サーバ側受信部３０１が受信する振動関連情報及び地震情報は、例えば、上述したような振動送信装置識別子を有する振動関連情報及び地震情報である。
サーバ側受信部３０１は、通常、無線または有線の通信手段で実現されるサーバ側受信部３０１は、通信デバイスを含むと考えても、含まないと考えても良い。
【００６６】
サーバ側送信部３０２は、振動通知情報を、予め指定された第二の送信先に送信する。振動通知情報は、サーバ側受信部３０１が受信した振動関連情報に関する情報である。振動通知情報は、例えば、見守り対象者の居る場所における振動の発生状況を端末装置４０のユーザに通知するための情報である。振動通知情報は、例えば、検知関連情報を用いて取得可能な、検知識別子や、検知識別子とその検知識別子が示す場所において振動が発生したことを示す情報との組み合わせであってもよい。あるいは、いずれかの場所において振動が発生したことを示す情報であってもよい。また、振動通知情報は、サーバ側受信部３０１が受信した振動関連情報そのものであってもよい。また、異なるタイミング等に受信した複数の振動関連情報を収集した情報、例えば、複数の振動関連情報をリスト化した情報等であってもよい。振動関連情報が振動情報である場合、１または２以上の振動情報をグラフ化した画像データ等や統計処理した情報であってもよい。また、振動通知情報は、振動があったことを示すテキスト等の情報であってもよい。また、振動通知情報は、見守り対象者に動きがあったことを示すテキスト等の情報であってもよい。振動通知情報は、振動関連情報が有する時刻の情報等を有していてもよい。なお、第二の送信先を指定する情報、例えば、第二の送信先のＩＰアドレス等のアドレス情報は、例えば、図示しない格納部等に格納されているようにして、サーバ側送信部３０２が適宜読み出すようにすればよい。
【００６７】
また、サーバ側送信部３０２は、地震関連情報を、予め指定された第二の送信先に送信する。地震関連情報は、例えば、見守り対象者の居る場所において地震が発生したことを端末装置４０のユーザに通知するための情報である。サーバ側受信部３０１が受信した地震情報に関する情報である。地震関連情報は、地震関連情報は、地震情報そのものであってもよい。また、地震が発生したことを示すテキストや画像の情報であってもよい。また、地震関連情報は、地震情報を受信した時刻を示す情報や、地震情報が有する時刻の情報をさらに有していてもよい。
【００６８】
サーバ側送信部３０２が振動通知情報を第二の送信先に送信するタイミングやトリガー等は問わない。例えば、サーバ側送信部３０２は、サーバ側受信部３０１が受信した振動関連情報に関する振動通知情報を、予め指定されたタイミングで予め指定された第二の送信先に送信する。予め指定されたタイミングとは、例えば、予め指定された時刻や、予め指定された時間間隔ごとである。例えば、サーバ側送信部３０２は、予め指定されたタイミングに、前回振動通知情報を送信した後にサーバ側受信部３０１が受信した振動関連情報に関する振動通知情報を送信する。例えば、サーバ側受信部３０１が受信した振動関連情報を、振動通知情報の送信のタイミングまでは送信せずに図示しない記憶媒体等に蓄積しておく。そして、振動通知情報の送信のタイミングにおいては、この蓄積された振動関連情報に関する振動通知情報を取得して送信する。そして、送信後に、サーバ側送信部３０２は、蓄積された振動関連情報を削除してもよい。
【００６９】
サーバ側送信部３０２は、例えば、サーバ側受信部３０１が地震情報を受信した場合、受信した直後に地震関連情報を予め指定された第二の送信先に送信することが好ましい。例えば、第二の送信先と見守り対象者の居る場所との物理的な距離が離れている場合、第二の送信先では、見守り対象者の居る場所で地震が発生したか否かを、地震発生からの短時間の間で知ることがことが多く、このようにすることで、迅速に地震の発生を第二の送信先、通常は、見守りを行うユーザ等に知らせることが可能となる。
【００７０】
見守りシステム１が、一のサーバ装置３０と接続される振動送信装置２０と端末装置４０として、複数の振動送信装置２０と複数の端末装置４０とを有する場合、サーバ側送信部３０２は、振動通知情報を、サーバ装置３０が送信する振動関連情報が有する振動送信装置識別子に対応する端末装置４０に送信する。同様に、サーバ側送信部３０２は、地震関連情報を、地震情報が有する振動送信装置識別子に対応する端末装置４０に送信する。振動送信装置識別子に対応する端末装置４０とは、振動送信装置識別子に対して、予め対応づけられた端末装置４０である。例えば、図示しない格納部等に予め格納されている振動送信装置識別子と、端末装置４０の識別子である端末識別子とを対応づけた１以上の端末管理情報から、振動送信装置識別子に対応づけられた振動送信装置識別子を取得することで、振動送信装置識別子に対応する端末装置４０を端末識別子を取得することができ、これにより、振動通知情報や地震関連情報の送信先の端末装置４０を特定することが可能となる。
【００７１】
サーバ側送信部３０２は、通常、無線または有線の通信手段で実現される。サーバ側送信部３０２は、通信デバイスを含むと考えても、含まないと考えても良い。
【００７２】
端末装置４０は、例えば、振動検知装置１０が設置された場所に居る見守り対象者を見守るユーザが利用する装置である。端末装置４０は、例えば、コンピュータや、携帯情報端末、携帯電話、いわゆるスマートフォン等の多機能携帯電話、タブレット型端末、ファクシミリ等により実現可能である。
【００７３】
端末装置４０は、例えば、図示しない端末受信部と、端末出力部とを有しており、端末受信部でサーバ装置３０から送信される振動通知情報を受信して、受信した振動通知情報を、端末出力部から出力する。また、端末装置４０は、サーバ装置３０から送信される地震関連情報を端末受信部で受信して、受信した地震関連情報を、端末出力部から出力する。また、見守りシステム１が、例えば、サーバ装置３０を有していない場合、端末装置４０は、上記のサーバ装置３０から送信される振動通知情報や地震関連情報の代わりに、振動送信装置２０が送信する振動関連情報や、地震情報を受信するようにしてもよい。
【００７４】
また、ここでの端末出力部による出力とは、ディスプレイへの表示、プリンタによる紙等への印字、音出力、外部の装置への送信等を含む概念である。
【００７５】
図示しない端末受信部は、例えば、無線または有線の通信手段で実現される。また、図示しない端末出力部は、出力デバイスのドライバーソフト、または、出力デバイスのドライバーソフトと出力デバイス等で実現され得る。
【００７６】
図２は、本実施の形態における振動検知装置１０の振動センサ１０１の一例を説明するための、振動センサ１０１の鉛直方向に沿った断面図（図２（ａ））及び振動センサ１０１が有するセンサ部１０２の一部切り欠き斜視図（図２（ｂ））である。
【００７７】
センサ部１０２は、球体１０２１、第一電極１０２２及び第二電極１０２３を有している。球体１０２１、第一電極１０２２、及び電極１０２３は、導電性を有している。
【００７８】
球体１０２１は、第一電極１０２２と接触する球体である。球体１０２１は、直径が０．３ｍｍ以上、１．５ｍｍ以下であることが好適である。直径がその範囲内である場合に、球体１０２１が繰り返して衝突したとしても、破損の起こる可能性が低いからである。球体１０２１は、センサ部１０２内において移動可能に設けられている。そして、その移動に応じて、球体１０２１は、第二電極１０２３に接触または非接触となる。球体１０２１は、真球であってもよく、あるいは、センサ部１０２内において移動可能な程度に球に近い形状であってもよい。なお、球体１０２１は、その移動に応じて、第一電極１０２２とも接触または非接触となってもよく、あるいは、第一電極１０２２に対しては絶えず接触するようになっていてもよい。本実施の形態によるセンサ部１０２は、球体１０２１が通常、第一電極１０２２と第二電極１０２３とに接触しているノーマルクローズのセンサである。なお、球体のサイズ等は、振動を検知する目的を実現可能な範囲であれば、どのようなサイズであってもよい。かかることは、他の部分におけるサイズ等においても同様である。
【００７９】
センサ部１０２の第一電極１０２２は、電極１０２２ａと、電極１０２２ｂとを有する。両電極１０２２ａ，１０２２ｂは、接続されており、１個の電極を形成している。第二電極１０２３は、球体１０２１と接触可能な円環状の形状を有する電極である。第一電極１０２２と、第二電極１０２３とは、非導電性樹脂１０２５によってそれぞれ決められた位置に設けられている。その非導電性樹脂１０２５は、例えば、液晶ポリマー（ＬＣＰ）であってもよく、ＰＰＳ樹脂（ポリフェニレンサルファイド樹脂）であってもよく、フッ素樹脂であってもよく、その他の非導電性の樹脂であってもよい。なお、その非導電性樹脂は、耐熱性を有することが好適である。
【００８０】
図３は、センサ部１０２の第二電極１０２３をセンサ部１０２の上面側からみた模式図（図３（ａ））、及び、第一電極１０２２の電極１０２２ｂをセンサ部１０２の上面側からみた模式図（図３（ｂ））である。
【００８１】
図３（ａ）に示すように、第二電極１０２３の内径は、球体１０２１の直径よりも大きいため、通常、両者は一点で接触する。なお、センサ部１０２が振動する場合には、球体１０２１が第二電極１０２３に接触したり、非接触になったりすることを繰り返すため、それによって振動を検知できる。なお、そのことは、振動が直線的であるときに、より顕著である。
【００８２】
図３（ｂ）に示すように、電極１０２２ａは、円盤状の領域１０２２ａ−１と、その円盤状の領域１０２２ａ−１を囲む円環状の領域１０２２ａ−２と、さらにその領域１０２２ａ−３の外側の領域１０２２ａ−３とを有する。球体１０２１は、通常、円盤状の領域１０２２ａ−１上を移動する。なお、電極１０２２ａの円盤状の領域１０２２ａ−１等と対向する電極１０２２ｂの領域も、電極１０２２ａと同様の形状を有しているものとする。
【００８３】
センサ部１０２において、第一電極１０２２と第二電極１０２３とは、球体１０２１の移動に応じてこの球体１０２１との接触状態が変化することにより、導通状態または非導通状態となる。接触状態とは、例えば、球体１０２１が第一電極１０２２及び第二電極１０２３に同時に接触する状態、球体１０２１が第一電極１０２２及び第二電極１０２３のいずれか一方のみに接触する状態、及び球体１０２１がいずれにも接触しない状態の三つの状態である。導通状態とは、電流が流れ得る状態である。すなわち、センサ部１０２は、第一電極１０２２と第二電極１０２３とが球体１０２１を介して電気的に接続されたり、非接続となったりする。具体的には、第一電極１０２２と第二電極１０２３とは、球体１０２１が第一電極１０２２及び第二電極１０２３に同時に接触する状態において、導通状態となり、その他の接触状態においては、非導通状態となる。
【００８４】
振動検知部１０３は、センサ部１０２の振動を検知する。振動検知部１０３は、第一電極１０２２と、第二電極１０２３とのそれぞれに接続されている。センサ部１０２が振動することによって球体１０２１がセンサ部１０２の内部で移動し、その結果、第一電極１０２２と第二電極１０２３との間で導通・非導通が繰り返されることになる。したがって、振動検知部１０３は、第一電極１０２２と第二電極１０２３との導通状態と、非導通状態とが繰り返される場合（チャタリング）に振動を検知する。具体的には、振動検知部１０３は、単位時間にＮ回以上の導通・非導通（オン・オフ）が繰り返された場合に、振動を検知してもよい。Ｎは２以上の整数である。なお、この振動を検知する振動検知部１０３は公知のものであり、その詳細な説明を省略する。また、その導通・非導通の検知で用いる電圧・電流は、例えば、３Ｖ程度、１〜３μＡ程度であってもよく、あるいは、その他の値であってもよい。
【００８５】
なお、第一電極１０２２、球体１０２１、及び第二電極１０２３は導電性のものであればよく、それらの材質は問わない。例えば、銅やステンレス等の金属であってもよい。なお、球体１０２１は、運動性や第１及び第二電極１０２３，１３との接触性をよくするために、比重の大きい材質であることが好適である。したがって、球体１０２１は、タングステンやステンレス、鋼等の球体であってもよい。また、球体１０２１の表面や、第一電極１０２２及び第二電極１０２３の球体１０２１と接触する範囲の表面が導電性を有していればよいため、それらの表面に導電性に優れている金属薄膜を形成するようにしてもよい。その金属薄膜は、例えば、メッキや、薄膜印刷、コーティング、真空蒸着、スパッタリング等によって成膜されてもよい。その薄膜に用いられる金属は、例えば、ロジウムや白金、ルテニウム等であってもよい。なお、この段落に記載したことは、他のセンサの第一電極及び第二電極や導電性を有する球体についても同様であるとする。
【００８６】
また、センサ部１０２内の球体１０２１が移動しうる空間は、センサ部１０２のオン・オフに悪影響を及ぼす微細な粒子や水分等が入ることを防止するため、封止されることが好適である。また、その封止された内部雰囲気は、真空でもよく、乾燥空気や窒素、ヘリウム、アルゴン、キセノン等でもよい。なお、乾燥空気等を封入する場合には、減圧にして封入してもよい。また、この段落に記載したことは、他のセンサについても同様であるとする。
【００８７】
なお、本実施の形態によるセンサ部１０２の構成は、図２で示されるものに限定されないことは言うまでもない。例えば、導電性を有する１以上の球体を備えた接点方式の振動センサであれば、センサ部１０２は、他の構成であってもよい。例えば、センサ部１０２として、導電性を有する１または２以上の球体と、この１または２以上の球体の移動に応じて、この球体との接触状態が変化することにより、導通状態または非導通状態となる第一電極及び第二電極とを備えている他のセンサ部を利用してもよい。例えば、センサ部１０２として、２以上の球体の移動に応じて、２以上の球体と第一電極及び第二電極との接触関係、及び２以上の球体同士の接触関係が変化することにより、導通状態または非導通状態となる第一電極及び第二電極とを備えている他のセンサ部を利用してもよい。ここでの導通状態とは、１または２以上の球体を介して導通している（電気的に接続されている）状態である。
【００８８】
図４は、本実施の形態による見守りシステム１が有する振動検知装置１０のセンサ部の第一の変形例（図４（ａ）、第二の変形例（図４（ｂ）、第三の変形例（図４（ｃ）、第４の変形例（図４（ｄ）、及び第五の変形例（図４（ｅ））を示す模式図である。
【００８９】
例えば、センサ部１０２として、図２で示した球体１０２１、第一電極１０２２、及び第二電極１０２３を備えたセンサ部１０２に代えて、図４（ａ）〜図４（ｅ）に示すような球体１０２１、第一電極１０２２、及び第二電極１０２３を備えたセンサ部１０２を用いるようにしてもよい。図４（ａ）は、特許第４１５３２１３号公報に記載のものである。図４（ａ）〜図４（ｅ）においても、球体１０２１の直径は、０．３〜１．５ｍｍであってもよい。また、図４（ａ）〜図４（ｅ）においても、導電性球体の直線的な各移動間隔は、２０μｍ以上、５００μｍ以下であってもよい。図４（ａ）〜図４（ｅ）において、図中における球体１０２１と、第一電極１０２２及び第二電極１０２３との位置関係が通常の状態であるとすると、図４（ｂ）、図４（ｃ）、図４（ｄ）に対応するセンサ部１０２は、ノーマリオープンタイプのセンサとなり、図４（ａ）、図４（ｅ）に対応するセンサ部１０２は、ノーマリクローズタイプのものとなる。
【００９０】
次に、本実施の形態における見守りシステム１を構成する振動検知装置１０の動作の一例について説明する。
【００９１】
まず、振動センサ１０１は、振動を検知したか否かを判断する。振動センサ１０１が振動を検知しなかった場合、再度振動を検知したか否かの判断を繰り返す。
【００９２】
振動センサ１０１が振動を検知した場合、検知振動送信部１０５は、検知識別子格納部１０４から検知識別子を読み出す。そして、読み出した検知識別子を有する振動情報を予め指定された振動送信装置２０に送信する。なお、読み出した検知識別子を、振動が発生したことを示す振動情報として振動送信装置２０に送信するようにしてもよい。
【００９３】
そして、再度、振動センサ１０１が、上述した振動を検知する処理に戻る。なお、上記の処理は、電源オフや処理終了の割り込みにより終了してよい。
【００９４】
次に、見守りシステム１の振動送信装置２０の動作の一例について図５のフローチャートを用いて説明する。なお、ここでは、振動情報受信部２０１は、検知識別子を有する振動情報を受信するものとし、振動関連情報送信部２０２は、図示しない格納部に格納されている自装置の振動送信装置識別子を有する振動関連情報及び地震情報を、サーバ装置３０に送信する場合を例に挙げて説明する。この図示しない格納部を、ここでは、送信識別子格納部と称す。また、ここでは、振動関連情報送信部２０２が、予め指定された条件を満たす振動情報を振動情報受信部２０１が複数の振動検知装置１０から受信した直後に、地震情報を第一の送信先に送信する場合を例に挙げて説明する。
【００９５】
（ステップＳ１０１）振動情報受信部２０１は、振動情報を受信したか否かを判断する。受信した場合、ステップＳ１０２に進み、受信していない場合、ステップＳ１０１に戻る。
【００９６】
（ステップＳ１０２）振動情報受信部２０１は、図示しない時計等から現在時刻の情報を取得し、ステップＳ２０１で受信した振動情報と対応づけて図示しない格納部に蓄積する。
【００９７】
（ステップＳ１０３）振動関連情報送信部２０２は、現在の時刻から前の所定の期間内、即ち、現在の時刻を終了時刻とした予め指定された期間内の時刻を示す情報と対応づけて上記の図示しない格納部に格納されている振動情報を検出する。
【００９８】
（ステップＳ１０４）振動関連情報送信部２０２は、ステップＳ１０３において、複数の振動情報が検出できたか否かを判断する。複数の振動情報が検出できた場合、ステップＳ１０５に進み、検出できなかった場合、ステップＳ１０９に進む。
【００９９】
（ステップＳ１０５）振動関連情報送信部２０２は、ステップＳ１０４で検出した複数の振動情報が有する検知識別子を重複しないように取得する。例えば、検出したすべての振動情報から検知識別子を取得してから、取得した検知識別子に対してユニーク処理を行うことにより、重複しない検知識別子を取得することができる。
【０１００】
（ステップＳ１０６）振動関連情報送信部２０２は、ステップＳ１０５で取得した検知識別子が、予め指定された条件を満たすか否かを判断する。例えば、振動送信装置２０に対して振動情報を送信可能な振動検知装置１０のすべての数に対する、予め指定された比率以上の数の複数の異なる検知識別子が検出できたか否かを判断する。検出できた場合、ステップＳ１０７に進み、検出できなかった場合、ステップＳ１０９に進む。
【０１０１】
（ステップＳ１０７）振動関連情報送信部２０２は、図示しない送信識別子格納部に格納されている振動送信装置識別子を読み出す。
【０１０２】
（ステップＳ１０８）振動関連情報送信部２０２は、ステップＳ１０７で読み出した振動送信装置識別子とステップＳ１０２において取得した時刻情報とを有する地震情報をサーバ装置３０に送信する。そして、ステップＳ１０１に戻る。例えば、予め図示しない記憶媒体に格納されている地震情報のテンプレートに、読み出した振動送信装置識別子を付加して得られた地震情報を送信する。なお、読み出した振動送信装置識別子を地震情報として用いてもよい。
【０１０３】
（ステップＳ１０９）振動関連情報送信部２０２は、図示しない送信識別子格納部に格納されている振動送信装置識別子を読み出す。
【０１０４】
（ステップＳ１１０）振動関連情報送信部２０は、ステップＳ１０１で受信した振動情報に関する振動関連情報であって、ステップＳ１０９で読み出した振動送信装置識別子と、ステップＳ１０２において取得した時刻情報とを有する振動関連情報を、サーバ装置３０に送信する。そして、ステップＳ１０１に戻る。なお、振動送信装置識別子を地震情報として用いない場合、読み出した振動送信装置識別子を振動関連情報として用いてもよい。
【０１０５】
なお、図５のフローチャートにおいて、電源オフや処理終了の割り込みにより処理は終了する。
【０１０６】
次に、本実施の形態における見守りシステム１を構成するサーバ装置３０の動作の一例について説明する。
【０１０７】
サーバ側受信部３０１は、振動送信装置２０から振動関連情報を受信したか否かを判断し、振動関連情報を受信した場合、図示しない格納部に蓄積する。そして、予め指定されたタイミングになった場合に、サーバ側送信部３０２は、この振動関連情報が有する振動送信装置識別子と対応づけられた端末装置４０に、図示しない格納部に格納された振動関連情報に関する振動通知情報を送信する。サーバ側送信部３０２は、例えば、振動関連情報が有する時刻情報を有する振動通知情報を送信する。
【０１０８】
また、サーバ側受信部３０１は、振動送信装置２０から地震情報を受信したか否かを判断し、地震情報を受信した場合、サーバ側送信部３０２は、この地震情報が有する振動送信装置識別子と対応づけられた端末装置４０に、地震関連情報を送信する。サーバ側送信部３０２は、例えば、地震情報が有する時刻情報を有する地震関連情報を送信する。
【０１０９】
次に、本実施の形態における見守りシステム１を構成する端末装置４０の動作の一例について説明する。
【０１１０】
端末装置４０の図示しない端末受信部は、サーバ装置３０から送信される振動通知情報を受信したか否かの判断を繰り返し、受信した場合、振動通知情報を端末出力部から出力する。なお、振動通知情報をそのまま出力せずに振動通知情報に予め対応づけられた情報等を出力することも、ここでは、実質的に振動通知情報の出力と考えてよい。
【０１１１】
また、端末装置４０の図示しない端末受信部は、サーバ装置３０から送信される地震関連情報を受信したか否かの判断を繰り返し、受信した場合、地震関連情報を、端末出力部から出力する。なお、地震情報をそのまま出力せずに地震情報に予め対応づけられた情報等を出力することも、ここでは、実質的に地震情報の出力と考えてよい。
【０１１２】
以下、本実施の形態における見守りシステム１の具体的な動作について説明する。本具体例の見守りシステム１の概念図は図６である。
【０１１３】
この具体例においては、振動検知装置１０は小型のケース内に収容されている。振動検知装置１０は、ここでは、一例として、振動送信装置２０とブルートゥース（登録商標）等の近距離無線通信により通信可能となっているものとする。ここでは、振動送信装置２０には、５台の振動検知装置１０が登録されており、振動送信装置２０は、この５台の振動検知装置１０が送信する振動情報を受信可能となっている。ここでは、５台の振動検知装置１０を、振動検知装置１０ａ−１０ｅとしている。ただし、振動検知装置１０の台数は問わない。また、ここでは説明を省略しているが見守りシステム１には、上記と同様の、１または２以上の振動検知装置１０と振動送信装置２０との組が、他にも設けられていてもよい。
【０１１４】
また、この具体例においては、２以上の端末装置４０ａ、４０ｂ等がネットワークを介してサーバ装置３０と接続されているものとする。
【０１１５】
本具体例においては、振動検知装置１０ａ−１０ｅ及び振動送信装置２０は、見守り対象者である対象者Ａの家屋内に取り付けられているものとする。
【０１１６】
図７は、振動検知装置１０ａ−１０ｅ及び振動送信装置２０の家屋内における設置状況を示す見取り図である。振動検知装置１０ａ−１０ｅは、対象者Ａが居住する家屋内のドアや、窓、壁面等に取り付けられている。振動送信装置２０は、家屋内の壁面に取り付けられているものとする。振動検知装置１０ａ−１０ｅの設置位置は、対象者Ａが動いた場合に、振動が発生しうる場所であることが好ましい。
【０１１７】
振動検知装置１０ａ−１０ｅの検知識別子格納部１０４には、それぞれ、振動検知装置１０ａ−１０ｅの検知識別子である「１００１」、「１００２」、「１００３」、「１００４」、「１００５」が予め格納されているものとする。
【０１１８】
例えば、図７に示した家屋内において、対象者Ａが、ドア７１を開けたとする。この動作によって、このドア７１に取り付けられた振動検知装置１０ｃの振動センサ１０１のセンサ部１０２の球体１０２１がセンサ部１０２内を移動して、第一電極１０２２と第二電極とに同時に接触する状態と、同時に接触しない状態とを繰り返す。これにより、第一電極１０２２と第二電極１０２３との間において、導通状態と非導通状態とが繰り返され、振動検知部１０３が、第一電極１０２２と第二電極１０２３との間の導通状態と非導通状態との繰り返しを検知する。そして、予め指定された時間内において検知した繰り返しの回数が閾値以上である場合に、振動検知部１０３は、振動を検知したことを示す情報を検知振動送信部１０５に出力する。
【０１１９】
振動検知装置１０ｃの検知振動送信部１０５は、振動検知部１０３が出力する振動を検知したことを示す情報を受け付けると、検知識別子格納部１０４に格納されている振動検知装置１０ｃの検知識別子である「１００３」を読み出す。
【０１２０】
そして、振動検知装置１０ｃはこの検知識別子「１００３」を有する振動情報を、同じ家屋内の振動送信装置２０に無線通信により送信する。ここで送信する振動情報は、例えば、検知識別子「１００３」であるとする。つまり、この検知識別子「１００３」の送信が、振動を検知したことを示す情報の送信である。
【０１２１】
振動送信装置２０の振動情報受信部２０１は、振動検知装置１０ｃから振動情報である検知識別子「１００３」を受信する。振動情報受信部２０１は、図示しない時計等から受信時刻を示す時刻情報を取得し、取得した時刻情報と受信した検知識別子とを対応づけて図示しない受信検知情報格納部に蓄積する。取得した時刻情報は、「２０１５／１０／１２  ０９：２５：１４」であったとする。ここでの時刻は、日付等を含むものとする。この時刻情報のフォーマットは、ここでは、「年／月／日  時：分：秒」であるとする。
【０１２２】
図８は、図示しない受信検知情報格納部に蓄積された、振動情報受信部２０１が蓄積した振動情報を管理する振動情報管理表である。振動情報管理表は、「振動情報」と、「受信時刻」という属性を有している。「振動情報」は、振動情報であり、ここでは、振動を検知した振動検知装置１０の検知識別子である。「受信時刻」は、振動情報を受信した時刻を示す時刻情報である。なお、ここでは、既に他の振動情報を管理するレコード（行）を振動情報管理表が有していたとする。つまり、他の振動情報が、図示しない格納部に既に格納されていたとする。
【０１２３】
次に、振動関連情報送信部２０２は、予め指定された条件を満たす振動情報を振動情報受信部２０１が複数の振動検知装置１０から受信したか否かの判断処理を行う。例えば、振動関連情報送信部２０２は、現在の時刻「２０１５／１０／１２  ０９：２５：１４」を終了時刻とした予め指定された期間内の時刻を示す時刻情報と対応づけて上記の図示しない受信検知情報格納部に格納されている振動情報を検出する。ここでは、予め指定された期間は、例えば、３秒であったとすると、「受信時刻」の値が、現在の時刻「２０１５／１０／１２  ０９：２５：１４」と、その３秒前の時刻「２０１５／１０／１２  ０９：２５：１１」との間の期間内の時刻であるレコードを、図８に示したレコードから検出する。ここでは、図８の１行目の、現在の時刻と対応づけられたレコード、即ち直前に蓄積した振動情報を示すレコードしか検出できなかったとする。このことは、同時期に、他の振動検知装置１０が振動を検知しておらず、受信した振動情報が地震の発生に伴う振動情報でないことを意味する。
【０１２４】
振動関連情報送信部２０２は、振動情報受信部２０１が受信した振動情報に含まれる検知識別子「１００３」を取得し、この検知識別子を用いて、振動検知装置１０ｃの取り付け場所を示す情報、ここでは、取り付け先の名称を取得する。このことは、検知識別子を取付場所を示す情報である新たな検知識別子に変換することと考えてもよい。
【０１２５】
図９は、検知識別子と、振動検知装置１０の取り付け場所を示す情報とを対応づけて有する１以上の取付場所管理表である。この取付場所管理表は、振動送信装置２０の図示しない格納部に蓄積されている。取付場所管理表は「検知識別子」と「取付場所」という属性を有している。「検知識別子」は検知識別子である。「取付場所」は、振動検知装置１０の取付場所を示す情報であり、ここでは、取付場所の名称を示す情報であるとする。この「取付場所」の値は、例えば、対象者Ａの見守りを行うユーザ等が、取付場所を把握可能な、任意に設定可能な情報であるとする。
【０１２６】
振動関連情報送信部２０２は、図９に示した取付場所管理表から、上記で振動情報受信部２０１が受信した振動情報が有する検知識別子「１００３」に対応づけられた「トイレ」という取付場所の名称を示す情報を取得する。なお、これ以降は、この「トイレ」という取付場所の名称を示す情報を、検知識別子「１００３」に対応する新たな検知識別子、あるいは振動情報として用いるものとする。
【０１２７】
振動関連情報送信部２０２は、図示しない送信識別子格納部から、自装置の振動送信装置識別子を読み出す。読み出した振動送信装置識別子は、「Ａ００１」であったとする。
【０１２８】
そして、読み出した振動送信装置識別子「Ａ００１」を有する振動関連情報を、サーバ装置３０に送信する。
【０１２９】
なお、振動関連情報送信部２０２は、振動関連情報を受信した直後に、振動情報を送信するようにしてもよいが、振動関連情報を受信してから、上述した予め指定された条件を満たす振動情報を複数の振動検知装置１０から受信したか否かの判断処理において利用した予め指定された期間が経過した後であって、地震情報を送信していない場合にのみ、振動情報を送信するようにしてもよい。また、予め指定された期間内に地震情報を送信した場合、この振動情報は送信しないようにしてよい。このようにすることで、地震により発生した振動に応じた振動情報を送信しないようにすることができる。
【０１３０】
ここで送信する振動関連情報は、読み出した振動送信装置識別子「Ａ００１」と、振動情報の受信時刻を示す時刻情報「２０１５／１０／１２  ０９：２５：１４」と、上記で取得した振動検知装置１０の取付場所を示す検知識別子「トイレ」とを有するテキストやスプレッドシート等の情報であるとする。
【０１３１】
サーバ装置３０のサーバ側受信部３０１は、振動送信装置２０から振動関連情報を受信する。そして、受信した振動関連情報を、図示しない振動関連情報格納部に蓄積する。
【０１３２】
図１０は、図示しない振動関連情報格納部に蓄積された振動関連情報を管理する振動関連情報管理表である。振動関連情報管理表は、「振動送信装置ＩＤ」、「振動情報」、「時刻」という属性を有している。「振動送信装置ＩＤ」は、振動関連情報が有する振動送信装置識別子である。「振動情報」は、振動関連情報が有する振動情報であり、ここでは、上述したように、取付場所管理表で変換された検知識別子である。「時刻」は、振動関連情報が有する受信時刻である。この具体例においては、この受信時刻が振動の発生時刻として利用される。
【０１３３】
このような処理が、振動検知装置１０が振動を検知するごとに行われる。
【０１３４】
サーバ側送信部３０２は、図示しない時計等から、現在の時刻を順次取得し、取得した時刻が、振動通信情報を送信するための、予め指定された時刻であるか否かを、順次、判断する。ここでは、予め指定された時刻が、例えば、「１０：００：００」であるとする。予め指定された時刻でない場合、サーバ側送信部３０２は、振動通信情報の送信を行わない。
【０１３５】
ここでは、現在の時刻が「２０１５／１０／１２  １０：００：００」となった時点で、予め指定された時刻であると、サーバ側送信部３０２が判断したとする。
【０１３６】
サーバ側送信部３０２は、予め指定された時刻であると判断された時点で、図示しない振動関連情報格納部に格納されている振動関連情報を管理する振動関連情報管理表の各レコード（行）を、「振動送信装置ＩＤ」ごとにソートする。
【０１３７】
図１１は、ソートされた振動関連情報管理表を示す図である。
【０１３８】
サーバ側送信部３０２は、図１１に示す振動関連情報管理表から、「振動送信装置ＩＤ」ごとに、「時刻」の値が、現在の時刻「２０１５／１０／１２  １０：００：００」と、その直前の予め指定された時刻の直後の時刻である「２０１５／１０／１１  １０：００：０１」との間である「振動情報」と、「時刻」との１以上の組を取得する。即ち、前回の振動通知情報の送信後に取得された振動関連情報から、「振動情報」と、「時刻」との１以上の組を取得する。そして、取得した「振動情報」と、「時刻」との１以上の組を「時刻」の値の昇順や降順によってソートして、図示しない格納部等にあらかじめ格納されているテンプレート等に配置することで、振動通知情報を取得する。サーバ側送信部３０２が取得する振動通知情報は、例えば、テキスト情報や、スプレッドシート等の情報である。
【０１３９】
図１２は、サーバ側送信部３０２が、「振動送信装置ＩＤ」が「Ａ００１」である振動関連情報について取得した振動通知情報を示す図である。
【０１４０】
サーバ側送信部３０２は、上記で各「振動送信装置ＩＤ」ごとに取得した振動通知情報を、各「振動送信装置ＩＤ」が示す端末装置４０に送信する。例えば、サーバ装置３０の図示しない格納部に、予め、「振動送信装置ＩＤ」と、端末装置４０のアドレス情報、例えばメールアドレスや、ＳＮＳのアカウント等を対応づけた送信先管理情報（図示せず）を格納しておくようにし、この情報から、各「振動送信装置ＩＤ」に対応づけられたアドレス情報を取得し、取得したアドレス情報に、各「振動送信装置ＩＤ」について取得した振動関連情報を順次送信する。例えば、送信先管理情報で対応づけられている「振動送信装置ＩＤ」とアドレス情報との組は、見守りの対象者の居る場所に設けられた振動送信装置２０の「振動送信装置ＩＤ」と、この対象者の見守りを行うユーザの端末装置４０のアドレス情報との組である。
【０１４１】
例えば、送信先管理情報に、「振動送信装置ＩＤ」である「Ａ００１」と、端末装置４０ａのメールアドレス「Ａ００１＠ｍｉｍａｍｏｒｉ０１．ｃｏｍ」とが、対応づけて格納されていたとすると、サーバ側送信部３０２は、送信先管理情報から、「Ａ００１」という「振動送信装置ＩＤ」に対応するメールアドレスとして、「Ａ００１＠ｍｉｍａｍｏｒｉ０１．ｃｏｍ」を取得する。そして、このメールアドレスに、図１２に示したような、「振動送信装置ＩＤ」が「Ａ００１」である振動関連情報について取得した振動通知情報を送信する。
【０１４２】
端末装置４０ａの図示しない端末受信部は、サーバ装置３０から送信される振動通知情報を受信する。端末装置４０ａの図示しない端末出力部は、端末受信部が受信した振動通知情報を出力する。ここでは、端末出力部は、振動通知情報をモニタ等に表示する。
【０１４３】
図１３は、端末装置４０ａによる振動通知情報の表示例を示す図である。この振動通知情報を見ることにより、振動が発生している場所において、見守り対象者が動作していることが判断でき、見守り対象者の安否を判断することができる。また、送信先の端末装置４０のアドレス情報等は、各振動送信装置２０が有していればよい。このことは、地震情報に関しても同様である。なお、振動検知装置１０を特にトイレに設置することで、見守り対象者がトイレに行く回数や頻度等を知ることが可能となり、見守り対象者の健康状態、例えば、頻尿や、排便状況等の管理をさらに行うことが可能となる。
【０１４４】
なお、サーバ装置３０を用いず、見守り対象者の居る場所に設置された振動送信装置２０が直接、振動関連情報を、見守り行うユーザ等が利用する端末装置４０に送信する場合、振動関連情報送信部２０２が送信する振動関連情報は、上記の振動通知情報と同様の情報であってもよい。
【０１４５】
次に、対象者Ａの居る場所で、地震が発生したとする。
地震の発生により、対象者Ａの家屋に設置されている振動検知装置１０のうちの振動を検出した各振動検知装置１０が、上記と同様に、振動情報を、振動送信装置２０に送信したとする。ここで送信する振動情報は、例えば、各振動検知装置１０の検知識別子格納部１０４に格納されている検知識別子であるとする。
【０１４６】
振動送信装置２０は、振動検知装置１０ａ−１０ｄが送信する振動情報を順次受信し、受信時の時刻を示す時刻情報と対応づけて、上記と同様に、図示しない受信検知情報格納部に蓄積する。
【０１４７】
また、振動情報を受信するごとに、上記と同様に、現在の時刻を終了時刻とした予め指定された期間内の時刻を示す情報と対応づけて上記の図示しない格納部に格納されている振動情報を検出する処理を行う。
【０１４８】
ここで、振動検知装置１０ｄが送信する振動情報「１００４」を振動情報受信部２０１が受信した際の時刻情報が「２０１５／１０／１２  １２：１５：３２」であったとする。
【０１４９】
図１４は、振動情報受信部２０１が振動情報を図示しない受信検知情報格納部に格納した時点での振動情報管理表を示す図である。なお、ここでは、「受信時刻」の最小単位が秒であるため、同じ受信時刻のレコード（行）が存在するが、実際の受信時刻は異なるものであるとする。
【０１５０】
次に、振動関連情報送信部２０２は、予め指定された条件を満たす振動情報を振動情報受信部２０１が複数の振動検知装置１０から受信したか否かの判断処理を行う。振動関連情報送信部２０２は、現在の時刻「２０１５／１０／１２  １２：１５：３２」を終了時刻とした予め指定された期間内の時刻を示す時刻情報と対応づけて上記の図示しない受信検知情報格納部に格納されている振動情報を検出する。ここでは、予め指定された期間は、例えば、３秒であったとすると、「受信時刻」の値が、現在の時刻「２０１５／１０／１２  １２：１５：３２」と、その３秒前の時刻「２０１５／１０／１２  １２：１５：２９」との間の期間内の時刻であるレコードを、図１４に示したレコードから検出する。ここでは、図１４に示した振動情報管理表の、上から５行目までレコードが、期間内の時刻であるレコードとして検出される。
【０１５１】
ここでは、複数のレコードが検出されたため、検出された１以上のレコードに含まれる「振動情報」が有する検知識別子を、ユニーク処理等を行うことにより重複がないよう取得する。ここでは、「１００１」、「１００２」、「１００３」及び「１００５」が取得されたとする。
【０１５２】
振動関連情報送信部２０２は、取得した検知識別子の数が、振動送信装置２０に振動情報を送信可能な振動検知装置１０の台数のうちの、予め指定された比率以上の、２以上の値であるか否かを判断する。例えば、予め指定された比率が６０％であり、振動送信装置２０に対して登録されている通信可能な振動検知装置１０の台数が５台であったとすると、振動関連情報送信部２０２は、上記で取得した検知識別子の数が、５×０．６＝３以上であるか判断する。ここでは、取得した検知識別子の数が４であるため、振動関連情報送信部２０２は、予め指定された条件を満たす振動情報を振動情報受信部２０１が複数の振動検知装置１０から受信したと判断する。
【０１５３】
このため、振動関連情報送信部２０２は、振動関連情報を送信せず、振動情報の受信直後に、地震情報をサーバ装置３０に送信する。具体的には、振動関連情報送信部２０２は、図示しない図示しない送信識別子格納部から、自装置の振動送信装置識別子「Ａ００１」を読み出し、この振動送信装置識別子「Ａ００１」と、上記の振動情報を受信した時刻を示す時刻情報「２０１５／１０／１２  １２：１５：３２」と、地震が発生したことを示す情報とを有する地震情報を、サーバ装置３０に送信する。
【０１５４】
見守り対象者は一人暮らしであることが多く、通常であれば、異なる位置に設置された複数の振動検知装置１０が、一の見守り対象者の動作により同時期に振動することは考えにくいため、このように同時期に複数の振動検知装置１０が振動を検知した場合、地震が発生したと考えられる。このため、地震情報を送信することで、見守り対象者を見守るユーザに対して、地震の発生を知らせることができる。また、予め指定された比率以上の異なる振動検知装置が同時期に振動を検出した場合に地震情報を送信することにより、一の振動検知装置１０が設置場所の問題や誤作動等の何らかの理由により、地震による振動を検知できず、振動情報を送信できない場合においても地震情報を送信することができる。
【０１５５】
サーバ装置３０のサーバ側受信部３０１が地震情報を受信すると、直後に、サーバ側送信部３０２は、地震が発生したことを示すテキスト等の情報、例えば、「地震が発生しました」等と、受信した地震情報に含まれる時刻情報とを有する地震関連情報を、図示しない格納部等から取得し、振動通知情報を送信する場合と同様に、受信した地震情報に含まれる振動送信装置識別子「Ａ００１」が示す端末装置４０ａに送信する。
【０１５６】
端末装置４０ａの図示しない端末受信部は、サーバ装置３０から送信される地震関連情報を受信する。端末装置４０ａの図示しない端末出力部は、端末受信部が受信した地震関連情報を出力する。ここでは、端末出力部は、地震関連情報をモニタ等に表示する。
【０１５７】
図１５は、端末装置４０ａによる振動通知情報の表示例を示す図である。
【０１５８】
なお、サーバ装置３０を用いず、見守り対象者の居る場所に設置された振動送信装置２０が直接、地震情報を、見守り行うユーザ等が利用する端末装置４０に送信する場合、振動関連情報送信部２０２が送信する地震情報は、上記の地震関連情報と同様の情報であってもよい。
【０１５９】
以上、本実施の形態によれば、見守り対象者の居る場所における振動を検知して、この振動に関する情報を見守りを行うユーザに送信することにより、見守り対象者を適切に見守ることができる。
【０１６０】
また、複数の振動検知装置が出力する振動情報により、見守り対象者の居る場所において地震が発生したことを知ることができる。
【０１６１】
図１６は、本実施の形態の見守りシステム１の変形例を示すブロック図である。この変形例の見守りシステム１は、図１に示した見守りシステム１において、サーバ装置３０を用いないようにしたものである。
【０１６２】
上述したように、本発明の見守りシステム１においては、図１６に示す見守りシステム１のように、サーバ装置３０を用いないようにして、振動送信装置２０が、予め指定された端末装置４０に対して、振動関連情報や、地震情報を送信するようにしてもよい。このようにすることで、システム構成を簡略化できるとともに、振動関連情報等をサーバ装置３０に送信する必要がないため、プライバシーを確保しやすいという効果がある。
【０１６３】
なお、上記実施の形態において、一の装置に存在する２以上の通信手段（振動情報受信部、振動関連情報送信部など）は、物理的に一の媒体で実現されても良いことは言うまでもない。
【０１６４】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１６５】
なお、上記各実施の形態における振動送信装置２０を実現するソフトウェアは、以下のようなプログラムである。つまり、このプログラムは、コンピュータを、一または二以上の振動検知装置から振動を検知したことを示す情報である振動情報を受信する振動情報受信部と、振動情報受信部が受信した振動情報に関する情報である振動関連情報を、予め指定された第一の送信先に送信する振動関連情報送信部と、して機能させるためのプログラムである。
【０１６６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１６７】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１６８】
また、このプログラムを実行するコンピュータは、単数であってもよく、複数であってもよい。すなわち、集中処理を行ってもよく、あるいは分散処理を行ってもよい。
【０１６９】
図１７は、上記プログラムを実行して、上記実施の形態による見守りシステムを構成する振動送信装置を実現するコンピュータの外観の一例を示す模式図である。上記実施の形態は、コンピュータハードウェア及びその上で実行されるコンピュータプログラムによって実現されうる。
【０１７０】
図１７において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１７１】
図１８は、コンピュータシステム９００の内部構成を示す図である。図１８において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１７２】
コンピュータシステム９００に、上記実施の形態による振動送信装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１７３】
プログラムは、コンピュータ９０１に、上記実施の形態による振動送信装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１７４】
本発明は、以上の実施の形態に限定されることなく、種々の変更が可能であり、それらも本発明の範囲内に包含されるものであることは言うまでもない。
【産業上の利用可能性】
【０１７５】
以上のように、本発明にかかる見守りシステムは、生活者等を見守るシステム等として適しており、特に、生活者の日常の動作に伴って発生する振動を利用して、生活者を見守るシステム等として有用である。
【符号の説明】
【０１７６】
１  システム
４０  端末装置
１０  振動検知装置
２０  振動送信装置
３０  サーバ装置
１０１  振動センサ
１０２  センサ部
１０３  振動検知部
１０４  検知識別子格納部
１０５  検知振動送信部
２０１  振動情報受信部
２０２  振動関連情報送信部
３０１  サーバ側受信部
３０２  サーバ側送信部
１０２１  球体
１０２２  第一電極
１０２３  第二電極
１０２５  非導電性樹脂
【図１】
2015060238.tif 000003
【図２】
2015060238.tif 000004
【図３】
2015060238.tif 000005
【図４】
2015060238.tif 000006
【図５】
2015060238.tif 000007
【図６】
2015060238.tif 000008
【図７】
2015060238.tif 000009
【図８】
2015060238.tif 000010
【図９】
2015060238.tif 000011
【図１０】
2015060238.tif 000012
【図１１】
2015060238.tif 000013
【図１２】
2015060238.tif 000014
【図１３】
2015060238.tif 000015
【図１４】
2015060238.tif 000016
【図１５】
2015060238.tif 000017
【図１６】
2015060238.tif 000018
【図１７】
2015060238.tif 000019
【図１８】
2015060238.tif 000020